(57)【要約】【課題】起立部の起立用弾性部材と脚周り用弾性部材とを効果的に協働させて脚周り部及び起立部の漏れ防止機能を十分に発揮させることができるとともに、着用時にすっきりとした外観を実現することができる使い捨て吸収性物品を提供する。【解決手段】この使い捨て吸収性物品１では、吸収性組合せ部材３の左右の起立部３３ａ，３３ｂが、外側シート部材２の左右の脚周り用弾性部材２０ａ，２０ｂ，２１ａ，２１ｂが設けられる部分とは接合しないようにしつつ、外側シート部材２の左右の脚周り部１９ａ，１９ｂにおけるサイドフラップ部２４ａ，２４ｂ（脚周り用弾性部材２０ａ，２０ｂ，２１ａ，２１ｂよりも外縁側の部分）にホットメルト等の接着剤により接合されている。【選択図】図２
2006304844.tif 000002
【特許請求の範囲】
【請求項１】
着用者の股部にあてがわれて排泄物を吸収する使い捨て吸収性物品であって、
着用者の前側に位置する前側シート部材と、
前記前側シート部材と股部にて一体に連なるように又は股部で分断されて形成され、着用者の背側に位置する背側シート部材と、
吸収体を有し、前記前側シート部材及び前記背側シート部材の肌面側に、着用者の股部にあてがわれるように設けられた吸収性組合せ部材と、
前記前側シート部材及び前記背側シート部材の少なくとも一方における着用者の脚周りに位置する部分に設けられた脚周り用弾性部材と、
前記吸収性組合せ部材の左右両側に設けられ、その自由端部側に延設された起立用弾性部材の収縮力により着用時に肌面側に起立するひだ状の起立部と、
を備え、
前記起立部の少なくとも前記起立用弾性部材が設けられる部分については、前記前側シート部材及び前記背側シート部材における前記脚周り用弾性部が設けられる部分と接合されないようにしつつ、前記起立部が、前記前側シート部材及び前記背側シート部材における前記脚周り用弾性部材よりも外縁側の部分と接合されていることを特徴とする使い捨て吸収性物品。
【請求項２】
請求項１に記載の使い捨て吸収性物品において、
前記起立部と、前記前側シート部材及び前記背側シート部材における前記脚周り用弾性部材よりも外縁側の部分とが、着用者の股下に位置する部分にて接合されていることを特徴とする使い捨て吸収性物品。
【発明の詳細な説明】
【技術分野】
【０００１】
本発明は、着用者の股部にあてがわれて排泄物を吸収する使い捨て吸収性物品に関する。
【背景技術】
【０００２】
従来の使い捨ておむつとして、おつむの外面側に設けられるシート部材に、ひだ状の起立部を有する吸収性組合せ部材が接合され、その起立部の起立用弾性部材が設けられる部分と、シート部材の脚周り用弾性部材が設けられる部分とが、起立用弾性部材と脚周り用弾性部材との交差部にて互いに接合されてたものがある（特許文献１）。
【０００３】
【特許文献１】特開２００３−１２６１４１号公報
【発明の開示】
【発明が解決しようとする課題】
【０００４】
しかし、上記のように、起立部とシート部材の脚周り用弾性部材が設けられた部分とを接合する構成では、その接合部において脚周り用弾性部材と起立部の起立用弾性部材とが互いの収縮を阻害しやすくなり、脚周り部及び起立部の漏れ防止機能が十分に果たせない場合がある。
【０００５】
そこで、本発明の解決すべき課題は、起立部の起立用弾性部材と脚周り用弾性部材とを効果的に協働させて脚周り部及び起立部の漏れ防止機能を十分に発揮させることができるとともに、着用時にすっきりとした外観を実現することができる使い捨て吸収性物品を提供することである。
【課題を解決するための手段】
【０００６】
上記の課題を解決するため、請求項１の発明では、着用者の股部にあてがわれて排泄物を吸収する使い捨て吸収性物品であって、着用者の前側に位置する前側シート部材と、前記前側シート部材と股部にて一体に連なるように又は股部で分断されて形成され、着用者の背側に位置する背側シート部材と、吸収体を有し、前記前側シート部材及び前記背側シート部材の肌面側に、着用者の股部にあてがわれるように設けられた吸収性組合せ部材と、前記前側シート部材及び前記背側シート部材の少なくとも一方における着用者の脚周りに位置する部分に設けられた脚周り用弾性部材と、前記吸収性組合せ部材の左右両側に設けられ、その自由端部側に延設された起立用弾性部材の収縮力により着用時に肌面側に起立するひだ状の起立部とを備え、前記起立部の少なくとも前記起立用弾性部材が設けられる部分については、前記前側シート部材及び前記背側シート部材における前記脚周り用弾性部が設けられる部分と接合されないようにしつつ、前記起立部が、前記前側シート部材及び前記背側シート部材における前記脚周り用弾性部材よりも外縁側の部分と接合されている。
【０００７】
また、請求項２の発明では、請求項１の発明に係る使い捨て吸収性物品において、前記起立部と、前記前側シート部材及び前記背側シート部材における前記脚周り用弾性部材よりも外縁側の部分とが、着用者の股下に位置する部分にて接合されている。
【発明の効果】
【０００８】
請求項１に記載の発明によれば、起立部が、前側シート部材及び背側シート部材における脚周り用弾性部材よりも外縁側の部分と接合されているため、着用時に、起立部が起立用弾性部材の収縮によって起立するのに伴って、前側シート部材及び背側シート部材における脚周り用弾性部材よりも外縁側の部分が着用者の肌面側に引き寄せられるとともに、脚周り用弾性部材の収縮によって前側シート部材及び背側シート部材における脚周り部が着用者の脚周りにフィットするように肌面側に引き寄せられるのに伴って、起立部の肌面側への起立変位が助けられるようになっており、これによって、起立用弾性部材の機能と脚周り用弾性部材の機能とが互いに効果的に協働するようになっている。また、起立部の少なくとも起立用弾性部材が設けられる部分については、前側シート部材及び背側シート部材における前記脚周り用弾性部が設けられる部分と接合されていないため、起立部の起立用弾性部材が設けられる部分と前側シート部材及び背側シート部材の脚周り用弾性部材が設けられる部分との間に適度な自由度が生じ、これによって起立部の起立用弾性部材と脚周り用弾性部材とが互いの収縮を阻害しないようになっている。その結果、起立用弾性部材と脚周り用弾性部材とが互いの収縮を阻害するのを防止しつつ、起立用弾性部材と脚周り用弾性部材とを効果的に協働させて、脚周り部及び起立部の漏れ防止機能を十分に発揮させることができる。しかも、前側シート部材及び背側シート部材における脚周り用弾性部材よりも外縁側の部分が着用者の肌面側に引き寄せられるため、着用時にすっきりとした外観を実現することができる。
【０００９】
請求項２に記載の発明によれば、起立部と、前側シート部材及び背側シート部材における脚周り用弾性部材よりも外縁側の部分とが着用者の股下に位置する部分にて接合されているため、起立用弾性部材と脚周り用弾性部材とをより効果的に協働させて、脚周り部及び起立部の漏れ防止機能を十分に発揮させることができるとともに、着用時にさらにすっきりとした外観を実現することができる。
【発明を実施するための最良の形態】
【００１０】
図１及び図２は本発明の一実施形態に係る使い捨て吸収物品の斜視図及び側面図であり、図３は図１の使い捨て吸収性物品をその左右のサイド部にて切り離して展開した状態を示す図であり、図４及び図５は図３の使い捨て吸収性物品のＡ１−Ａ１線及びＡ１−Ａ２線に沿った断面の構成を模式的に示す図である。
【００１１】
この使い捨て吸収性物品１は、例えばパンツ型の使い捨ておむつであり、図１ないし図３に示すように、吸収性物品１の外面側に設けられる外側シート部材２と、外側シート部材２の肌面側に接合される吸収性組合せ部材３とを備えている。なお、本発明の前側シート部材及び背側シート部材には外側シート部材２が相当している。なお、本実施形態では、吸収性物品１の具体例としてパンツ型のおむつを挙げたが、本実施形態の吸収性物品１に係る技術を、面ファスナー等により展開自在となっている通常の使い捨ておむつ等に適用してもよい。
【００１２】
外側シート部材２は、着用者の前腹部、股部、後背部にそれぞれあてがわれる前腹部２Ａ、股部２Ｂ及び後背部２Ｃを有しており、これらの部分が一連につながった形態を有している。なお、変形例として、外側シート部材２を股下部４にて前側シート部材と背側シート部材とに前後に２分割して形成してもよい。この場合、その前側シート部材と背側シート部材とは股下部４にて互いに接合される構成であってもよく、あるいは、前側シート部材と背側シート部材とを前後に間隔をあけて配置し、後述する吸収性組合せ部材３を前側シート部材と背側シート部材とに橋渡しするように接合するようにしてもよい（この場合、股部２Ｂの一部に外側シート部材２が存在しない区間が生じるが、その区間は吸収性組合せ部材３が股部２Ｃの機能を担うことになる）。
【００１３】
このような外側シート部材２は、図３に示すように、略矩形のシート状の部材の左右両側の中間部（股部２Ｂに対応する部分）が内方に切り込まれた略砂時計形の展開形状を有しており、その前腹部２Ａの左右両縁部１１と後背部２Ｃの左右両縁部１２とが超音波溶着又は加熱溶着等の接合手段により接合されるようになっている。これによって、外側シート部材２の前後方向（図３における上下方向）の両縁部により胴用開口部Ｑが形成され、その左右両側の切り込まれた部分によって左右の脚用開口部Ｒａ，Ｒｂが形成される。
【００１４】
また、外側シート部材２の前腹部２Ａ及び後背部２Ｃの胴用開口部Ｑを構成する縁部（図２では上側に位置する縁部）には、ウエスト用弾性部材１５，１６が左右方向に伸張された状態で取り付けられている。
【００１５】
また、前腹部２Ａ及び後背部２Ｃの図２における上縁部と下縁部との間には、ボディ用弾性部材１７，１８が左右方向に伸張された状態で取り付けられている。
【００１６】
また、股部２Ｂの左右の脚用開口部Ｒａ，Ｒｂを構成する脚周り部１９ａ，１９ｂには、脚周り用弾性部材２０ａ，２０ｂ，２１ａ，２１ｂが脚周り部１９ａ，１９ｂの延設方向に沿って伸張された状態で取り付けられている。脚周り用弾性部材２０ａ，２０ｂは脚周り部１９ａ，１９ｂにおける着用者の略前側に位置する部分に設けられ、脚周り用弾性部材２１ａ，２１ｂは脚周り部１９ａ，１９ｂにおける着用者の背側に位置する部分に設けられている。そして、前側の弾性部材２０ａ，２０ｂと背側の弾性部材２１ａ，２１ｂとの間には、前後方向に所定の間隔が設けられており、その間の領域Ｃが股下部４にほぼ位置するように設定されている。なお、変形例として、前側の脚周り用弾性部材２０ａ，２０ｂ及び背側の脚周り用弾性部材２１ａ，２１ｂのうちのいずれか一方（例えば、脚周り用弾性部材２０ａ，２０ｂ）を省略してもよい。
【００１７】
また、左右の脚周り用弾性部材２０ａ，２０ｂは、一連の弾性部材２０として外側シート部材２に取り付けられた後、その一連の弾性部材２０における吸収性組合せ部材２の本体部３２と重なる中間領域Ｄ１に対して弱化処理が施されるようになっている。また、左右の脚周り用弾性部材２０ａ，２０ｂについても、一連の弾性部材２１として外側シート部材２に取り付けられた後、その一連の弾性部材２１における吸収性組合せ部材２の本体部３２と重なる中間領域Ｄ２に対して弱化処理が施されるようになっている。弱化処理とは、その弾性部材２０，２１を切断したり、収縮力を弱める処理を行う等により、ノーテンション状態とすることである。これによって、脚周り用弾性部材２０ａ，２０ｂ，２１ａ，２１ｂの収縮力によって吸収性組合せ部材２の吸収体３１に不所望な歪み等が生じ、その吸収機能が低下するのが防止される。
【００１８】
このような外側シート部材２は、図４及び図５に示す肌面側の内装シート２２と、外側の外装シート２３との間に弾性部材１５〜１８，２０ａ，２０ｂ，２１ａ，２１ｂを挟み込んで構成されている。
【００１９】
また、外側シート部材２の脚周り部１９ａ，１９ｂにおける脚周り用弾性部材２０ａ，２０ｂ，２１ａ，２１ｂが設けられる部分及びその外縁側の部分は、ひだ状のレッグギャザーを構成しており、このレッグギャザーが、脚周り用弾性部材２０ａ，２０ｂ，２１ａ，２１ｂ等の収縮力により着用者の脚周りにびったりとフィットするようになっている。ここで、脚周り部１９ａ，１９ｂにおける脚周り用弾性部材２０ａ，２０ｂ，２１ａ，２１ｂよりも外縁側の部分を、サイドフラップ部２４ａ，２４ｂと呼ぶこととする。
【００２０】
一方、吸収性組合せ部材３は、吸収体３１を有する本体部３２と、その本体部３２の左右両側に設けられるひだ状の起立部（立体ギャザー）３３ａ，３３ｂとを備えている。本体部３２は、透液性のトップシート３４と不透液性のバックシート３５との間に、吸収体３１を挟み込んで構成されている。吸収体３１は、略砂時計形の平面形状を有し、股下部４を中心にして前後方向に帯状に広がっている。
【００２１】
起立部３３ａ，３３ｂは、例えば本体部３２の自由端部となっている左右両縁部によって構成されており、２枚のシート３４，３５とそのシート３４，３５間に挟み込まれた複数の起立用弾性部材３６ａ〜３８ａ，３６ｂ〜３８ｂとを備えている。起立用弾性部材３６ａ〜３８ａ，３６ｂ〜３８ｂは起立部３３ａ，３３ｂの延設方向（前後方向）に伸張された状態で起立部３３ａ，３３ｂの少なくとも自由端部側（本実施形態では、自由端部及びその近傍と、幅方向の中間部分）に取り付けられており、この起立用弾性部材３６ａ〜３８ａ，３６ｂ〜３８ｂが収縮することにより、起立部３３ａ，３３ｂが着用者の肌面側に起立するようになっている。起立部３３ａ，３３ｂを構成する本体部３２の左右両縁部における前側端部３９及び後側端部４０は、図３及び図５に示すように、本体部３２に肌面側から重なるように２つ折りにされて接着剤４１で本体部３２に固定されている。
【００２２】
なお、本実施形態では、起立部３３ａ，３３ｂと本体部３２とを実質的に一体の構成としたが、本体部３２と別に作製した起立部３３ａ，３３ｂを本体部３２の肌面側における左右両縁部に接合するようにしてもよい。
【００２３】
このように構成される吸収性組合せ部材３は、図３に示すように、外側シート部材２の股部２Ｂの肌面側に接合されている。この接合は、吸収性組合せ部材３の本体部３２と外側シート部材２との対向面にホットメルト等の接着剤４２を塗布して行われる。
【００２４】
また、本実施形態では、図４に示すように、吸収性組合せ部材３の左右の起立部３３ａ，３３ｂの少なくとも起立用弾性部材３６ａ〜３８ａ，３６ｂ〜３８ｂが設けられる部分（本実施形態では、起立部３３ａ，３３ｂの全体）が、外側シート部材２の左右の脚周り用弾性部材２０ａ，２０ｂ，２１ａ，２１ｂが設けられる部分とは接合しないようにしつつ、起立部３３ａ，３３ｂが、外側シート部材２の左右の脚周り部１９ａ，１９ｂにおけるサイドフラップ部２４ａ，２４ｂ（脚周り用弾性部材２０ａ，２０ｂ，２１ａ，２１ｂよりも外縁側の部分）にホットメルト等の接着剤（又は加熱溶着、超音波溶着でも可）により接合されている。
【００２５】
より詳細には、外側シート部材２の左右のサイドフラップ部２４ａ，２４ｂにおける前側の脚周り用弾性部材２０ａ，２０ｂと背側の脚周り用弾性部材２１ａ，２１ｂとの間の領域Ｃ内に位置する部分４３と、それに対応する左右の起立部３３ａ，３２ｂの部分とが接合されている。このとき、起立部３３ａ，３３ｂの幅方向の接合領域については、起立部３３ａ，３３ｂにおける幅方向の中間部に設けられる起立用弾性部材３８ａ，３８ｂよりもやや内側の部分がサイドフラップ部２４ａ，２４ｂの上記部分４３と接合されるようになっている。そして、その接合は、例えば、吸収性組合せ部材３の本体部３２を外側シート部材２に接合するための接着剤４２を外側シート部材２に塗布する際に部分４３にも塗布し、左右に広げた起立部３３ａ，３３ｂの股下に対応する部分を、接着剤４２を塗布した部分４３に押し付けて接着することにより行われる。このとき、起立部３３ａ，３３ｂと外側シート部材２の脚周り用弾性部材２０ａ，２０ｂ，２１ａ，２１ｂが設けられる部分との対向面には、接着剤４２は塗布されておらず、接合されない。
【００２６】
このように、起立部３３ａ，３３ｂが外側シート部材２のサイドフラップ部２４ａ，２４ｂと接合されているため、着用時に、起立部３３ａ，３３ｂが起立用弾性部材３６ａ〜３８ａ，３６ｂ〜３８ｂの収縮によって起立するのに伴って、外側シート部材２のサイドフラップ部２４ａ，２４ｂが着用者の肌面側（上側かつ内方）に引き寄せられる。そして、これと同時に、脚周り用弾性部材２０ａ，２０ｂ，２１ａ，２１ｂの収縮によって外側シート部材２の脚周り部１９ａ，１９ｂが着用者の脚周りにフィットするように肌面側に引き寄せられるのに伴って、起立部３３ａ，３３ｂの肌面側への起立変位が助けられるようになっている。これによって、起立用弾性部材３６ａ〜３８ａの機能と脚周り用弾性部材２０ａ，２０ｂ，２１ａ，２１ｂの機能とが互いに効果的に協働するようになっている。
【００２７】
また、起立部３３ａ，３３ｂが、外側シート部材２における脚周り用弾性部２０ａ，２０ｂ，２１ａ，２１ｂが設けられる部分と接合されていないため、起立部３３ａ，３３ｂ（特に、起立部３３ａ，３３ｂの起立用弾性部材３６ａ〜３８ａ，３６ｂ〜３８ｂが設けられる部分）と外側シート部材２の脚周り用弾性部材２０ａ，２０ｂ，２１ａ，２１ｂが設けられる部分との間に適度な自由度が生じ、これによって起立部３３ａ，３３ｂの起立用弾性部材３６ａ〜３８ａ，３６ｂ〜３６ｂと脚周り用弾性部材２０ａ，２０ｂ，２１ａ，２１ｂとが互いの収縮を阻害しないようになっている。
【００２８】
その結果、起立用弾性部材３６ａ〜３８ａ，３６ｂ〜３８ｂと脚周り用弾性部材２０ａ，２０ｂ，２１ａ，２１ｂとが互いの収縮を阻害するのを防止しつつ、起立用弾性部材３６ａ〜３８ａ，３６ｂ〜３８ｂと脚周り用弾性部材２０ａ，２０ｂとを効果的に協働させて、外側シート部材２の脚周り部１９ａ，１９ｂ及び吸収性組合せ部材３の起立部３３ａ，３３ｂの漏れ防止機能を十分に発揮させることができる。しかも、外側シート部材２のサイドフラップ部２４ａ，２４ｂが着用者の肌面側（上側かつ内方）に引き寄せられるため、着用時にすっきりとした外観を実現することができる。
【００２９】
また、起立部３３ａ，３３ｂと外側シート部材２のサイドフラップ部２４ａ，２４ｂとが着用者の股下に位置する部分にて接合されているため、起立用弾性部材３６ａ〜２８ａ，３６ｂ〜３８ｂと脚周り用弾性部材２０ａ，２０ｂ，２１ａ，２１ｂとをより効果的に協働させて、外側シート２の脚周り部１９ａ，１９ｂ及び吸収性組合せ部材３の起立部３３ａ，３３ｂの漏れ防止機能を十分に発揮させることができるとともに、着用時にサイドフラップ部２４ａ，２４ｂの股下の部分を肌面側に引き寄せることにより、さらにすっきりとした外観を実現することができる。
【図面の簡単な説明】
【００３０】
【図１】本発明の一実施形態に係る使い捨て吸収物品の斜視図である。
【図２】図１の使い捨て吸収性物品の側面図である。
【図３】図１の使い捨て吸収性物品を展開した状態を示す図である。
【図４】図３の使い捨て吸収性物品のＡ１−Ａ１線に沿った断面の構成を模式的に示す図である。
【図５】図３の使い捨て吸収性物品のＡ２−Ａ２線に沿った断面の構成を模試的に示す図である。
【符号の説明】
【００３１】
１  使い捨て吸収性物品、２  外側シート部材、２Ａ  前腹部、２Ｂ  股部、２Ｃ  後背部、３  吸収性組合せ部材、４  股下部、１５，１６  ウエスト用弾性部材、１７，１８  ボディ用弾性部材、１９ａ，１９ｂ  脚周り部、２０ａ，２０ｂ，２１ａ，２１ｂ  脚周り用弾性部材、２２  内装シート、２３  外装シート、サイドフラップ部２４ａ，２４ｂ、３１  吸収体、３２  本体部、３３ａ，３３ｂ  起立部、３６ａ，３６ｂ，３７ａ，３７ｂ，３８ａ，３８ｂ  起立用弾性部材、４１，４２  接着剤。
【図１】
2006304844.tif 000003
【図２】
2006304844.tif 000004
【図３】
2006304844.tif 000005
【図４】
2006304844.tif 000006
【図５】
2006304844.tif 000007